(57)【要約】【課題】床下換気装置の開閉蓋を簡単な構造で、屋外側から開閉操作でき、また、保守・点検や修理も屋外側からできるものとする。【解決手段】通風筒８の内部に開閉蓋４を操作杆５で開閉可能に配置する。開閉蓋４は、支軸部１２の両側に翼片１３，１３を蝶番式に開閉可能に有し、屋外側から操作杆５を押した状態で、両側の翼片１３，１３が展開して通風路を閉じ、操作杆５を引いた状態で両側の翼片１３，１３を重合方向に回動して通風路を開く。通風筒８、操作杆５及び開閉蓋４はいずれも合成樹脂で成形することが多く、開閉蓋４の支軸部１２と両側の翼片１３，１３は接続部を薄肉に成形して回動可能な蝶番としている。【選択図】  図１
2004308960.tif 000002
【特許請求の範囲】
【請求項１】
布基礎に固定されて床下換気口を形成する屋内外方向の通風筒と通風筒を開閉する開閉蓋及び操作杆を備え、開閉蓋は中央の支軸部と支軸部との接続部を蝶番として重合方向と展開方向へ回動可能な両側の翼片とからなり、操作杆は、操作部と主軸部およびＹ字形に拡開しそれぞれに撓みばねとなる２本の支杆とからなり、
通風筒の内部に開閉蓋を配置してその支軸部を通風筒の内部空間を横断する方向として通風筒に固定し、操作杆を通風筒へ屋内外方向で押し引き可能に、かつ、操作部を屋外側として押し位置と引き位置とでその位置を維持できるようにして取り付けると共に、支杆の屋内側端を開閉蓋の支軸部を中心とした対照位置で両側の翼片に軸支してあり、引き位置で両側の翼片を重合状態とできることを特徴とした床下換気装置。
【請求項２】
開閉蓋は全体が合成樹脂で形成され、支軸部と両側の翼片との接続部を靭性を有する薄肉とすることで蝶番に形成してあることを特徴とした請求項１に記載の床下換気装置。
【請求項３】
操作杆における少なくとも主軸部と２本の支杆が合成樹脂の一体成形品であることを特徴とした請求項１または２に記載の床下換気装置。
【発明の詳細な説明】
【０００１】
【発明の属する技術分野】
本発明は、布基礎に設置する床下換気装置に関する。
【０００２】
【従来の技術】
布基礎ヘ屋内外方向に貫通した換気口を形成して床下換気を行う技術は公知である。換気口の屋外側面は格子などで覆い、外観を整えるとともに、ねずみなどの小動物が床下へ侵入しないようにしている。一方、このような換気口を常時開口状態にしておくと、寒冷地等では床下に侵入した冷気によって屋内の温度が低下する。
【０００３】
このため、例えば、実公平７−１１２４０号公報の換気口形成枠では、通風筒の後端部に取付桟を設け、これに開閉蓋を取り付けて冬季には通風口を閉じ、床下へ冷気が侵入するのを遮断している。しかし、開閉蓋を着脱する構造なので開・閉操作が面倒である。その他、従来用いられているこの種の開閉蓋には、種々のものがあるが欠点も多い。
【０００４】
開閉蓋をスライド式としたもの（特開平７−３００９０８号公報）は、構造を簡単にできるが埃や錆びで早期にスライド操作が困難になる。
屋外側に突出させたレバ−を操作することで開閉できるもの（特開平１０−２３８８３８号公報）は、操作レバーの回動中心とするための軸や、開閉蓋が回動するための軸など多数の軸をそれも通風口へ左右方向（換気口の左右方向）に差し渡して配置する必要があり、換気装置を組み立てるのに手間を要しコスト高となる。
さらに、温度などに感応して自動的に開閉するもの（特開平１０−２２７０７９号公報、特開平１０−２４６０５３号公報）があるが、構造が複雑でコスト高であると共に埃などの侵入で早期に作動不調となることが多い。
【０００５】
なお、火災発生時に床下へ炎が入るのを防ぐために、熱に反応して開閉蓋が閉じるヒューズ内蔵型のものも知られている。しかし、平常時に点検しようとして一旦閉じてしまうと、その換気口を通常の開口状態とするには特殊な部材と手間を要する。
また、換気用に大きな孔（換気口）を布基礎に形成することは布基礎の強度上で好ましくないので、１箇所に設ける換気口を例えば筒状の通風筒に分割し、通風筒間にもコンクリートを打設して、構造上でできるだけ布基礎を分断しないようにしている。
【０００６】
【特許文献１】
実公平７−１１２４０号公報
【特許文献２】
特開平７−３００９０８号公報
【特許文献３】
特開平１０−２３８８３８号公報
【特許文献４】
特開平１０−２２７０７９号公報
【特許文献５】
特開平１０−２４６０５３号公報
【０００７】
【発明が解決しようとする課題】
この発明は、手動で簡単に開閉でき、構造を簡単にしてコストを低減できると共に、埃などが侵入しやすい環境でも常に確実に開閉できること、及び保守・点検や修理を外部から行い易い床下換気装置の提供を課題とする。
【０００８】
【課題を解決するための手段】
換気口に配置する通風筒と開閉蓋及び操作杆を備える。通風筒は例えば全体がポリエチレン樹脂の一体成形品であり、通風を屋内外方向として布基礎形成時に同時に布基礎に固定される。開閉蓋は通風筒の内部に位置して通風路を開閉する。開閉蓋は中央の支軸部とその両側に蝶番で回動可能に接続させた翼片とからなる。支軸部と両側の翼片は小さな金属製の蝶番で接続してもよいが、支軸部と両側の翼片をポリエチレンなどの合成樹脂の一体成形品とすることが多い。この場合、接続部は薄肉部とされて折り曲げやすくなっている。すなわち、接続部はポリエチレンの特性である靭性を利用して蝶番とする。したがって、両側の翼片は支軸部を中央として蝶番により、重合方向と展開方向へ回動可能となっている。
【０００９】
操作杆は、操作部と主軸部およびＹ字形に拡開しそれぞれに撓みばねとなる２本の支杆とからなる。主軸部と支杆は別体とし、支杆はばね板材を切断して形成することもできるが、これらもポリエチレン樹脂で一体に作ることが多く、支杆は樹脂が持つ弾力性によって撓みばねとすることができる。
これらは次のように、組み付けられる。
通風筒の内部に開閉蓋を配置してその支軸部を通風筒の内部空間を横断する方向として通風筒に固定する。通風筒への固定は種々な手段が考えられるが、通風筒の屋内側開口に直径方向の取り付け部を形成しておき、これに支軸部をねじ止めする構成はその一つである。
【００１０】
操作部を屋外側として操作杆を通風筒に配置し、屋内外方向で押し引き可能とする。操作杆は、押し位置と引き位置とでその位置を維持できる構造にすると共に、支杆の屋内側端を開閉蓋の支軸部を中心とした対称位置で両側の翼片にそれぞれ軸支する。すなわち、操作杆を屋外側へ引き出した引き位置にすると両側の翼片を屋外側へ回動させて操作杆を挟むような重合状態（換気口は開）とでき、押し位置では両側の翼片を屋内側へ同時に回動して展開（換気口は閉）させることができる。
以上のように、換気口を開閉する装置は、操作杆と開閉蓋だけの単純な構造で達成しており、しかも、これらは合成樹脂の成形品として安価に生産することもできるから、換気装置のコストを低減することが出来る。また、操作杆と開閉蓋は換気口の屋外側に取り付けた格子（スクリーン）などを外して簡単に取り出すことができるので、屋外側からの保守・点検や修理が容易である。
【００１１】
【発明の実施の形態】
床下換気装置１（図１）は、換気具本体２とその外面に取り付けるスクリーン３、開閉蓋４、操作杆５及び虫止め網６を備える。
換気具本体２はポリエチレン樹脂の一体成形品であり、箱形部７と２個の通風筒８，８を一体に備えている。箱形部７は、前方が開口した浅い箱状である。通風筒８，８は断面円形で、内部の空間が通風路として屋内外方向に貫通し、屋内側の開口部に取付け部９を直径方向に形成してある。
【００１２】
スクリーン３はステンレス鋼板をプレス加工したもので、多数のスリットと通風筒８，８の軸線と対応する位置に挿通係合孔１０を有している。スクリーン３は箱形部７の屋外側に装着してねじ止めする形態であり、ねじを外すことで簡単にとり外せる。そして、スクリーン３は周縁に外側へ張り出すフランジ１１を備えている。虫止め網６は、箱形部７の屋外側にはまり込む平板形で、やはり、通風筒８，８の軸線と対応する位置に挿通孔１０´を有している。
【００１３】
開閉蓋４（図２）は、ポリエチレン樹脂の一体成形品であり、展開すると全体として円盤となる形態であり、中央の支軸部１２の両側に翼片１３，１３を蝶番１４で回動可能に備えている。支軸部１２と翼片１３，１３との間は薄肉に折り曲げやすく形成してあり、この部分が蝶番１４となっている（図３）。また、両側翼片１３，１３の支軸部１２に沿った中央部で支軸部１２に対して対称位置に、後述の支杆１９の屋内側端が連結される連結軸１５，１５が凹部１６と共に形成されている。
【００１４】
操作杆５（図２）は、操作部１７と主体部１８及び２本の支杆１９とで構成されている。この実施形態において、これらはポリエチレン樹脂の成形品であり、主体部１８と支杆１９は一体となっていて、主体部１８は屋外側に雌ねじ２０が形成されると共に、屋内側に２本の支杆１９がＹ字形に成形されている。支杆１９のそれぞれは屋内側となる先端部に前記の連結軸１５へ軸支する係合部２１を備えている。操作部１７は首部２２と雄ねじ２３およびつまみ２４を備え、首部２２に第１の係合溝２５と第２の係合溝２６を有している（図３）。
【００１５】
布基礎２７（図４）を構築するとき、配筋の段階で換気具本体２を周囲に補助筋２８を配置して取り付けておき、コンクリートを打設して布基礎２７が完成と同時に換気具本体２が布基礎中に固定されるようにする。もちろん、換気具本体２の箱形部７は屋外側に開口しており、通風筒８，８は屋内側に開口している。開閉蓋４に操作杆５の支杆１９，１９の係合部２１を連結軸１５，１５へ回動可能に取り付け、開閉蓋４を屋内側として各通風筒８に屋外側から差込み、支軸部１２を通風筒８，８の取付け部９へしっかりとねじ止めする。
【００１６】
操作杆５から操作部１７を外してから、虫止め網６とスクリーン３を換気具本体２の屋外側に装着する。すると、スクリーン３のフランジ１１が屋外側に露出した換気具本体２の周囲を覆って換気口の外観を整える。ついで、操作杆５の操作部１７をスクリーン３の挿通係合孔１０と虫止め網６に設けた挿通孔から差し込んで内側に位置する主体部１８の雌ねじ２０に螺合する。これによって、操作部１７と主体部１８及び２本の支杆１９，１９が一体となり、床下換気装置１が完成する（図５）。
【００１７】
操作杆５は、通風筒８の取付け部９を基準に屋内外方向で押し引きすることができる。操作杆５を押し込むと開閉蓋４の翼片１３，１３は拡開して通風路を閉鎖する（図６）。操作杆５を押し込んだ状態は、操作部１７の第１係合溝２５をスクリーン３の挿通係合孔１０に係合することで維持することができる。なお、挿通係合孔１０は図８のようにいわゆるダルマ孔になっていて、この図では操作部１７を少し下方へ移動させることで係合状態を安定に維持することができる。
【００１８】
夏季など、床下換気装置１を開放するときは、つまみ２４を持って、少し持ち上げてから手前（屋外側）に引くと、開閉蓋４の両側の翼片１３，１３は屋外側に引かれて重合するように回動し、通風路が開く（図７）。そして、この状態を維持するには、操作部１７の首部２２に設けた第２の係合溝２６をスクリーン３の挿通係合孔（ダルマ孔）１０ヘ係合する。
通風筒８の内壁と翼片１３との間に異物が挟まり、開閉が不調になったときは、スクリーン３を取り外して簡単に修理することができる。この作業は屋外側からできるので、床下にもぐりこむなどの困難がない。
【００１９】
以上実施形態の一つを記載したが、開閉蓋の素材や軸着の構造は実施例のものに限定されず、換気具本体２や開閉蓋４、操作杆５の素材はポリエチレン樹脂に限らず、ナイロン（Ｒ）など、それぞれの部材として機能する程度の硬度と靭性を備えたものであればよい。例えば、開閉蓋４は、素材をステンレス板とし、支軸部１２と両側の翼片１３とを小形の蝶番部材で連結した構造とすることもできる。
【００２０】
【発明の効果】
特に、開閉蓋とその操作杆の構造が簡素で床下換気装置の生産コストを低減できる。
構造が簡単であるために、埃などの影響で作動が不調になることが少なく、確実に開閉できる。万一、不調となっても屋外側から簡単に修理できる。
合成樹脂の成形品として耐久性のあるものを提供できる。
【図面の簡単な説明】
【図１】分解して示す全体の斜視図（一部省略）
【図２】開閉蓋と操作杆を示す分解斜視図
【図３】開閉蓋と操作杆との取付け状態を示す平面図（一部断面）
【図４】換気具本体を布基礎へ取り付けた状態を説明する斜視図（屋内側面）
【図５】換気具本体を布基礎へ取り付けた状態を説明する斜視図（屋外側面）
【図６】開閉蓋が展開した状態を示す平面図
【図７】開閉蓋が重合した状態を示す平面図
【図８】挿通係合孔の正面図
【符号の説明】
１    床下換気装置
２    換気具本体
３    スクリーン
４    開閉蓋
５    操作杆
６    虫止め網
７    箱形部
８    通風筒
９    取付け部
１０  挿通係合孔
１０´  挿通孔（虫止め網）
１１  フランジ
１２  支軸部
１３  翼片
１４  蝶番
１５  連結軸
１６  凹部
１７  操作部
１８  主体部
１９  支杆
２０  雌ねじ
２１  係合部
２２  首部
２３  雄ねじ
２４  つまみ
２５  第１の係合溝
２６  第２の係合溝
２７  布基礎
２８  補助筋
【図１】
2004308960.tif 000003
【図２】
2004308960.tif 000004
【図３】
2004308960.tif 000005
【図４】
2004308960.tif 000006
【図５】
2004308960.tif 000007
【図６】
2004308960.tif 000008
【図７】
2004308960.tif 000009
【図８】
2004308960.tif 000010